(57)【要約】【課題】通話相手の映像や音声を、通話者がテレビ電話として用いるのに好適な位置にあるモニタに出力させることができるテレビ電話システムを提供する。【解決手段】本発明のテレビ電話システムは、映像を表示可能なテレビセット３と、テレビセット３をＩＰ網に接続するホームゲートウェイ１と、テレビ電話機能を有するとともにホームゲートウェイ１を介してＩＰ網に接続可能な携帯端末４と、を備えている。ホームゲートウェイ１は、携帯端末４宛てに送信されるテレビ電話データを所定のテレビセット３にリダイレクト又は分配する送信制御部１２を備えている。【選択図】図３
2013090193.tif 000002
【特許請求の範囲】
【請求項１】
映像を表示可能なモニタと、前記モニタをＩＰ網に接続する中継装置と、テレビ電話機能を有するとともに前記中継装置を介して前記ＩＰ網に接続可能な端末装置と、を備えたテレビ電話システムであって、
前記端末装置宛てに送信されるテレビ電話データを構成する映像データ及び音声データの内、少なくとも前記映像データを前記モニタにリダイレクト又は分配する制御部を備えていることを特徴とするテレビ電話システム。
【請求項２】
前記端末装置は、前記テレビ電話データを送信すべき前記モニタを示す送信先通知を前記制御部に送信し、
前記制御部は、複数の前記モニタの内、前記送信先通知に応じた前記モニタに前記テレビ電話データをリダイレクト又は分配する請求項１に記載のテレビ電話システム。
【請求項３】
前記端末装置宛ての前記テレビ電話データは、前記ＩＰ網を介して送信されるものであり、
前記制御部は、前記中継装置に設けられている請求項１又は２に記載のテレビ電話システム。
【請求項４】
前記中継装置は、前記制御部から得られる前記テレビ電話データに含まれる音声データを用いて、前記端末装置から送信されるテレビ電話データに含まれる音声データのエコーキャンセルを行うエコーキャンセル部を備えている請求項３に記載のテレビ電話システム。
【請求項５】
前記制御部は、前記端末装置宛てのテレビ電話データの送信元である他の端末装置に設けられている請求項１又は２に記載のテレビ電話システム。
【請求項６】
前記端末装置、及び前記端末装置宛てのテレビ電話データの送信元である他の端末装置が、互いに前記ＩＰ網以外の他の通信網にて接続可能であり、
前記他の通信網を介して、前記端末装置と前記他の端末装置との間で前記テレビ電話データの送受信を行いつつ、前記他の端末装置に設けられた前記制御部は、前記端末装置宛てのテレビ電話データを前記ＩＰ網を介して前記モニタに送信する請求項５に記載のテレビ電話システム。
【請求項７】
前記制御部は、前記端末装置に設けられており、当該端末装置が受信した自装置宛てのテレビ電話データを、複数の前記モニタの内、前記テレビ電話データを出力すべき前記モニタに送信する請求項１に記載のテレビ電話システム。
【請求項８】
映像を表示可能なモニタ、及びテレビ電話機能を有する端末装置をＩＰ網に接続する中継装置であって、
前記端末装置宛てに送信されるテレビ電話データを構成する映像データ及び音声データの内、少なくとも前記映像データを前記モニタにリダイレクト又は分配する制御部を備えていることを特徴とする中継装置。
【請求項９】
前記制御部から得られる前記テレビ電話データに含まれる音声データを用いて、前記端末装置から送信されるテレビ電話データに含まれる音声データのエコーキャンセルを行うエコーキャンセル部をさらに備えている請求項８に記載の中継装置。
【請求項１０】
テレビ電話機能を有する端末装置であって、
映像を表示可能なモニタをＩＰ網に接続する中継装置に対して接続可能な他の端末装置との間で通信を行うとともに、
前記他の端末装置宛てのテレビ電話データを構成する映像データ及び音声データの内、少なくとも前記映像データを、前記他の端末装置及び前記モニタの双方に送信する制御部を備えていることを特徴とする端末装置。
【請求項１１】
前記制御部は、前記他の端末装置から送信される、前記テレビ電話データの出力先にすべき前記モニタを示す出力先通知に応じて、前記テレビ電話データの出力先を設定する請求項１０に記載の端末装置。
【発明の詳細な説明】
【技術分野】
【０００１】
本発明は、テレビ電話システム、及びこれに用いる中継装置、端末装置に関する。
【背景技術】
【０００２】
近年、情報技術の発展に伴って、インターネット網を介して音声情報を送受信するＩＰ電話や、音声情報とともに映像情報を送受信するテレビ電話システムが普及しつつある。
上記テレビ電話システムを家庭内に設置する場合、例えば、特許文献１に示されるように、インターネット網に接続されたセットトップボックスと、このセットトップボックスを介してインターネット網に接続するための専用の端末装置とを用いて構成される場合がある。端末装置には、カメラが内蔵されており、セットトップボックスに接続されたモニタに通話相手の映像を表示させつつ通話することができる。
【先行技術文献】
【特許文献】
【０００３】
【特許文献１】特開２００７−２６７１９３号公報
【発明の概要】
【発明が解決しようとする課題】
【０００４】
上記従来のテレビ電話システムでは、テレビ電話としての映像をセットトップボックスに接続されたテレビにしか出力することができず、例えば、他の部屋のテレビ等、任意のモニタに通話者の映像を出力させてテレビ電話を構成するといったことは困難であった。
従って、例えば、端末装置が無線通信可能であって、その移動範囲に比較的自由度があったとしても、テレビ電話で通話する際には、セットトップボックスが接続されたテレビの前にいる必要がある。
このため、より利便性を高めるために、通話者の映像を任意のモニタに出力させることができるテレビ電話システムが望まれていた。
【０００５】
本発明はこのような事情に鑑みてなされたものであり、通話相手の映像や音声といったテレビ電話データを、通話者がテレビ電話として用いるのに好適な位置にあるモニタに出力させることができるテレビ電話システム、中継装置、端末装置を提供することを目的とする。
【課題を解決するための手段】
【０００６】
（１）本発明は、映像を表示可能なモニタと、前記モニタをＩＰ網に接続する中継装置と、テレビ電話機能を有するとともに前記中継装置を介して前記ＩＰ網に接続可能な端末装置と、を備えたテレビ電話システムであって、前記端末装置宛てに送信されるテレビ電話データを構成する映像データ及び音声データの内、少なくとも前記映像データを前記モニタにリダイレクト又は分配する制御部を備えていることを特徴としている。
【０００７】
上記のように構成された無線通信システムによれば、端末装置宛てに送信されるテレビ電話データの内、少なくとも映像データを前記モニタにリダイレクト又は分配する制御部を備えているので、通話相手の映像や音声を、端末装置以外の中継装置に接続されたモニタに出力することができる。
【０００８】
（２）さらに、前記端末装置は、前記テレビ電話データを送信すべき前記モニタを示す送信先通知を前記制御部に送信し、前記制御部は、複数の前記モニタの内、前記送信先通知に応じた前記モニタに前記テレビ電話データをリダイレクト又は分配することが好ましい。
この場合、テレビ電話データを送信すべきモニタを、送信先通知によって選択することができるので、通話相手の映像や音声を、通話者がテレビ電話通話するのに好適な位置にあるモニタに出力させることができる。
【０００９】
（３）ここで、前記端末装置宛ての前記テレビ電話データが、前記ＩＰ網を介して送信される場合、中継装置が端末装置宛てに送信される通話相手からのテレビ電話データを中継する。このため、前記制御部は、前記中継装置に設けられていることが好ましい。
この場合、テレビ電話データをリダイレクト又は分配するのが容易となる。
【００１０】
（４）また、端末装置から送信されるテレビ電話データには、モニタから出力された音声が含まれている可能性がある一方、制御部は、通話相手から送信されるテレビ電話データをモニタに中継するので、この場合、前記中継装置は、前記制御部から得られる前記テレビ電話データに含まれる音声データを用いて、前記端末装置から送信されるテレビ電話データに含まれる音声データのエコーキャンセルを行うエコーキャンセル部を備えていてもよい。これによって、効率的にエコーキャンセルを行うことができる。
【００１１】
（５）また、上記テレビ電話システムにおいて、前記制御部は、前記端末装置宛てのテレビ電話データの送信元である他の端末装置に設けられていてもよい。
この場合、他の端末装置からテレビ電話データを送信する段階で、端末装置の通話者がテレビ電話として好適に用いることができるモニタに向けて、当該テレビ電話データを送信させることができる。
【００１２】
（６）さらに上記の場合、前記端末装置、及び前記端末装置宛てのテレビ電話データの送信元である他の端末装置が、互いに前記ＩＰ網以外の他の通信網にて接続可能であれば、前記他の通信網を介して、前記端末装置と前記他の端末装置との間で前記テレビ電話データの送受信を行いつつ、前記他の端末装置に設けられた前記制御部は、前記端末装置宛てのテレビ電話データを前記ＩＰ網を介して前記モニタに送信するものであることが好ましい。
【００１３】
（７）また、上記テレビ電話システムにおいて、前記制御部が、前記端末装置に設けられている場合には、当該端末装置が受信した自装置宛てのテレビ電話データを、複数の前記モニタの内、前記テレビ電話データを出力すべき前記モニタに送信するものであってもよく、この場合、簡易な構成でテレビ電話データをモニタに出力することができる。
【００１４】
（８）他の観点から見た本発明は、映像を表示可能なモニタ、及びテレビ電話機能を有する端末装置をＩＰ網に接続する中継装置であって、前記端末装置宛てに送信されるテレビ電話データを構成する映像データ及び音声データの内、少なくとも前記映像データを前記モニタにリダイレクト又は分配する制御部を備えていることを特徴としている。
【００１５】
（９）上記中継装置において、前記制御部から得られる前記テレビ電話データに含まれる音声データを用いて、前記端末装置から送信されるテレビ電話データに含まれる音声データのエコーキャンセルを行うエコーキャンセル部をさらに備えていることが好ましい。
【００１６】
（１０）また、本発明は、テレビ電話機能を有する端末装置であって、映像を表示可能なモニタをＩＰ網に接続する中継装置に対して接続可能な他の端末装置との間で通信を行うとともに、前記他の端末装置宛てのテレビ電話データを構成する映像データ及び音声データの内、少なくとも前記映像データを、前記他の端末装置及び前記モニタの双方に送信する制御部を備えていることを特徴としている。
【００１７】
（１１）上記端末装置において、前記制御部は、前記他の端末装置から送信される、前記テレビ電話データの出力先にすべき前記モニタを示す出力先通知に応じて、前記テレビ電話データの出力先を設定するものであってもよい。
【００１８】
上記構成の中継装置及び端末装置によれば、上記テレビ電話システムと同様の作用効果を奏する。
【発明の効果】
【００１９】
本発明によれば、通話相手の映像や音声といったテレビ電話データを、通話者がテレビ電話として用いるのに好適な位置にあるモニタに出力させることができる。
【図面の簡単な説明】
【００２０】
【図１】本発明のテレビ電話システムを含むホームネットワークの一例を示す図である。
【図２】本発明の第一の実施形態に係るテレビ電話システムの構成の一例を示す図である。
【図３】本実施形態のホームゲートウェイの構成を示すブロック図である。
【図４】本実施形態のテレビ電話システムによってテレビ電話通話が行われる際の各機器の処理手順を説明するためのシーケンス図である。
【図５】本発明の第二の実施形態に係るテレビ電話システムの構成を示す図である。
【図６】通話相手の携帯端末の構成を示すブロック図である。
【図７】第二の実施形態に係るテレビ電話システムの他の構成を示す図である。
【図８】本発明の第三の実施形態に係るテレビ電話システムの構成を示す図である。
【図９】本実施形態の携帯端末の構成を示すブロック図である。
【発明を実施するための形態】
【００２１】
〔システムの全体構成〕
図１は、本発明のテレビ電話システムを含むホームネットワークＨＮの一例を示す図である。図１に示すように、ホームネットワークＨＮは、図示しない終端装置を介してＩＰ網に接続されたホームゲートウェイ１を備えている。ホームゲートウェイ１（以下、ＨＧＷ１ともいう）には、パソコン２や、テレビセット３等が有線ＬＡＮ又は無線ＬＡＮによって通信可能に接続されており、これらによって、ホームネットワークＨＮは構成されている。
【００２２】
ホームゲートウェイ１は、ＩＰ網に接続するインターフェースを有する他、パソコン２やテレビセット３等が接続される有線ＬＡＮ又は無線ＬＡＮによるインターフェースを有しており、パソコン２やテレビセット３等の相互間通信を制御する機能を有するとともに、パソコン２やテレビセット３等がＩＰ網を介して行う他の住宅Ｈ等に配置された機器間のデータ通信に関して、プロトコル変換を行って中継する中継装置としての機能を有している。また、ホームゲートウェイ１は、自装置に接続する各機器それぞれに対してアドレスを割り当てる機能も有している。
【００２３】
従って、ホームネットワークＨＮに接続する各機器は、他のホームネットワークＨＮに接続する機器や、ＩＰ網に接続可能な携帯端末４との間で、ＩＰ網を介して通信可能である。
【００２４】
〔第一の実施形態〕
図２は、本発明の第一の実施形態に係るテレビ電話システムの構成の一例を示す図である。なお、図２中、ＩＰ網を挟んで紙面左側に配置されている各機能部は、通話者Ａ側に属しており、紙面右側に配置されている各機能部は、通話者Ａ側のＨＧＷ１とは異なるＨＧＷ１に接続している通話相手Ｂ側に属している。
本実施形態のテレビ電話システムは、ホームネットワークＨＮ（図１）に接続されたＨＧＷ１と、複数のテレビセット３と、ＨＧＷ１に接続する携帯端末４とによって構成されており、テレビセット３に通話相手の映像や音声を出力しつつ、携帯端末４によって通話可能とすることで、テレビ電話通話を実現する。
【００２５】
携帯端末４は、音声通話機能の他、通話者を撮影するためのカメラ４ａと、通話相手から送信される映像を表示するためのモニタ４ｂとを備えており、テレビ電話機能を有している。携帯端末４は、例えば、Ｗｉ−Ｆｉ（登録商標）等の無線ＬＡＮによってＩＰ通信可能な端末（Ｗｉ−Ｆｉフォン）の他、携帯電話事業者の電話通信網に接続する機能とともに、Ｗｉ−Ｆｉ等のＩＰ通信機能を備えた端末が用いられる。本実施形態において、通話者Ａの携帯端末４は、ＨＧＷ１に接続することで、ＩＰ網を介して通話相手Ｂの携帯端末４との間でＩＰ通信を確立し、通話可能である。
通話者Ａの携帯端末４、及び通話相手Ｂの携帯端末４は、相互に、通話者Ａ及び通話相手Ｂそれぞれについての映像データ及び音声データを含むテレビ電話データの送受信を行う。
なお、上記テレビ電話データとは、テレビ電話通話を行う際に送受信されるデータであり、映像データと、音声データとを含んで構成される。テレビ電話データは、映像データと、音声データとが互いに独立したデータとして送受信される態様の他、映像データと音声データとが、一体のデータを構成する態様の場合もある。
【００２６】
通話者Ａ側において、テレビセット３は、ＨＧＷ１に対して複数接続されており、住宅Ｈ（図１）の例えば各部屋ごとに設置されている。テレビセット３は、テレビ５と、当該テレビ５とＨＧＷ１とを接続するセットトップボックス６とを備えている。テレビ５は、映像を表示するための画面部５ａと音声を出力するための図示しないスピーカとを備えた可能な一般的なテレビ装置である。テレビ５は、セットトップボックス６（以下、ＳＴＢ６ともいう）から与えられる映像データや音声データ等を出力する。
【００２７】
ＳＴＢ６は、ＨＧＷ１と無線又は有線ＬＡＮ通信等のＩＰ通信のためのインターフェースを有しており、他の機器がＩＰ網又はホームネットワークＨＮを介して与えられる映像データや、音声データ等をデコードし、デコードしたこれらデータをテレビ５に出力する機能を有している。
なお、テレビ５自身がＩＰ通信のためのインターフェースを有し、映像データや、音声データのデコード機能を有している場合には、当該テレビ５は、直接ＨＧＷ１に接続されＳＴＢ６は不要である。
【００２８】
同一の住宅Ｈ内に配置されている複数のテレビセット３それぞれには、予め当該複数のテレビセット３を特定するためのＩＤが割り当てられる。このＩＤは、後述するように、携帯端末４を操作する通話者Ａが、通話相手Ｂの映像を出力させたいテレビセット３を指定するために用いられる。
【００２９】
図３は、本実施形態のＨＧＷ１の構成を示すブロック図である。図３に示すように、ＨＧＷ１は、ホームネットワークＨＮの各機器や、ＩＰ網に接続するとともに、前記各機器やＩＰ網からのＩＰ通信によるデータを中継するための機能を有するＩＦ部１１を備えている。また、ＨＧＷ１は、当該ＨＧＷ１に接続する携帯端末４宛てに送信される映像データや音声データといったテレビ電話データを所定のテレビセット３にリダイレクト又は分配する送信制御部１２を備えている。
【００３０】
送信制御部１２は、自装置１に接続している携帯端末４から送信される送信先通知に基づいて、当該携帯端末４宛てのテレビ電話データについて、リダイレクト又は分配を行うのに必要な送信先の設定といった処理を行う。
携帯端末４が送信する送信先通知は、リダイレクト又は分配されるテレビ電話データの送信先を示す送信先情報や、テレビ電話データをリダイレクト又は分配のいずれの処理を行うかを指示するための指示情報を含んでいる。送信先情報は、上述のテレビセット３を特定するためのＩＤによって示される。
通話者Ａは、携帯端末４を操作して通話相手Ｂの映像や音声を出力させたいテレビセット３のＩＤを送信先情報として含む送信先通知を当該携帯端末４に送信させる。
【００３１】
送信制御部１２は、記憶部１３を参照して送信先通知に含まれるＩＤに対応するテレビセット３のアドレスを取得する。
記憶部１３には、テレビセット３を特定するためのＩＤと、自装置１がテレビセット３に割り当てたアドレスとを対応付けて登録しているデータベースが記憶されている。送信制御部１２は、前記データベースを参照して、送信先通知に応じたテレビ電話データの送信先としてのテレビセット３のアドレスを特定する。
【００３２】
送信制御部１２は、通話相手Ｂが送信する、通話者Ａの携帯端末４宛てのテレビ電話データを受信すると、リダイレクトする場合には、このテレビ電話データの宛先を送信先情報によって指定されたテレビセット３のアドレスに変更し送信する。また、分配する場合には、このテレビ電話データをコピーし、一方を指定されたテレビセット３のアドレスに変更して送信し、他方を通話者Ａの携帯端末４宛てそのままで送信する。
これにより、通話相手Ｂの携帯端末４が送信するテレビ電話データの経路は、図２に示すように、ＩＰ網から、通話者Ａ側のＨＧＷ１に到達し、このＨＧＷ１で通話者Ａの携帯端末４及び所定のテレビセット３に分岐、又は切り替えられる。
【００３３】
さらに、ＨＧＷ１は、通話者Ａの携帯端末４をテレビ電話として用いた場合に、通話相手Ｂに送信するための送話音声に対してエコーキャンセルを行うエコーキャンセル部１４を備えている。
例えば、図２を参照して、テレビ５を用いて通話相手Ｂからの映像及び音声を出力しつつ、通話者Ａの携帯端末４が通話状態である場合、通話者Ａの携帯端末４が、通話相手Ｂの携帯端末４に送話する送話音声には、通話者Ａが発する音声の他、テレビ５から出力される音声が含まれる。テレビ５から出力される音声には、通話相手Ｂ側の音声が含まれているので、これがエコーを生じさせる。
エコーキャンセル部１４は、このように、携帯端末４の送話音声に、テレビ５からの音声が含まれることで生じるエコーを除去する機能を有している。
【００３４】
ＨＧＷ１は、携帯端末４が通話相手に向けて送信するテレビ電話データに含まれている、送話音声がデータ化された音声データを受け付けて、通話相手に向けてＩＰ網に送信する。また、ＨＧＷ１は、上述のように、通話相手Ｂから送信されたテレビ電話データも受け付けて通話者Ａの携帯端末４等に向けて中継する。つまり、ＨＧＷ１には、テレビ５又は携帯端末４から出力される音声データと、テレビ５から出力される音声を含んだ携帯端末４の送話音声に係る音声データとが入力される。
【００３５】
そこで、エコーキャンセル部１４は、テレビ５又は携帯端末４から出力される音声データと、携帯端末４の送話音声に係る音声データとを用いてエコーキャンセルを行う。
本実施形態では、両音声データが入力されるＨＧＷ１にエコーキャンセル部１４を設けたので、効率的にエコーキャンセルを行うことができる。
【００３６】
本実施形態のＨＧＷ１は、上記両音声データをデコードする音声デコーダ部１５と、エコー除去後の音声をデータ化する音声エンコーダ部１６とを備えている。
音声デコーダ部１５は、テレビ５又は携帯端末４から出力される音声データと、テレビ５から出力される音声を含んだ携帯端末４の送話音声に係る音声データとを取得し、それぞれデコードして、エコーキャンセル部１４に出力する。
【００３７】
エコーキャンセル部１４は、テレビ５から出力される音声を含んだ携帯端末４の送話音声に係る音声から、テレビ５又は携帯端末４から出力される音声を除くことでエコー除去を行い、エコー除去後の音声を音声エンコーダ部１６に出力する。
音声エンコーダ部１６は、エコーキャンセル後の音声を携帯端末４の送話音声としてデータ化し、ＩＦ部１１を介してＩＰ網へ出力する。
【００３８】
以上によって、ＨＧＷ１は、通話相手に送信されるテレビ電話データに含まれる音声データについて、エコーキャンセルを行うことができる。
次に、本実施形態のテレビ電話システムによってテレビ電話通話が行われる際のより具体的な処理手順について説明する。
【００３９】
図４は、本実施形態のテレビ電話システムによってテレビ電話通話が行われる際の各機器の処理手順を説明するためのシーケンス図である。図４において、通話者Ａ側は、図２で示したように、ＨＧＷ１、及びこれに接続するテレビセット３、携帯端末４を備える構成である。また、通話相手Ｂは、通話者Ａと同様の構成の場合もありうるし、携帯端末４が直接ＩＰ網に接続し携帯端末４の機能によってテレビ電話通話を行おうとしている場合もある。
【００４０】
図４においてまず、携帯端末４は、通話者Ａがダイアリング等の操作を行うことで、通話相手Ｂ側に対して発呼を行う（ステップＳ１）。携帯端末４は、発呼に関する発呼通知を通話相手Ｂ側に送信することで発呼を行う。
携帯端末４が送信する発呼通知は、ＨＧＷ１によって中継され（ステップＳ２）、ＩＰ網を介して通話相手Ｂ側に送信される。
【００４１】
発呼通知を受信した通話相手Ｂ側の携帯端末４は（ステップＳ３）、呼び出し音等を鳴らして通話相手Ｂにオフフックを促す。通話相手Ｂの携帯端末４は、オフフックとされると、通話者Ａの携帯端末４に対して着呼通知を送信する（ステップＳ４）。
【００４２】
着呼通知は、ＨＧＷ１を介して（ステップＳ５）、通話者Ａの携帯端末４に受信され（ステップＳ６）、これによって、通話者Ａの携帯端末４は、通話相手Ｂとの間で通話が可能となる。この状態では、通話者Ａは、携帯端末４を用いて通話相手Ｂとテレビ電話通話が可能となる（ステップＳ７）。
【００４３】
ここで、通話者Ａの操作によって、通話者Ａの携帯端末４がＨＧＷ１に送信先通知を送信し（ステップＳ８）、ＨＧＷ１がこの送信先通知を受信すると（ステップＳ９）、ＨＧＷ１は、送信先通知に含まれている、送信先情報及び指示情報に基づいて、通話者Ａの携帯端末４宛てに送信される映像データや音声データといったテレビ電話データに関する処理を実行する。
【００４４】
なお図４では、指示情報が、通話者Ａの携帯端末４宛てのテレビ電話データを分配することを指示するとともに、送信先情報が、複数のテレビセット３の内、通話者Ａの携帯端末４の近傍に位置する所定のテレビセット３を示すものとする。
【００４５】
送信先通知を受信したＨＧＷ１は、通話者Ａの携帯端末４宛てのテレビ電話データの分配先（送信先）のテレビセット３を認識する（ステップＳ１０）。
その後、通話相手Ｂ側が通話者Ａの携帯端末４宛てにテレビ電話データを送信し（ステップＳ１１）、ＨＧＷ１が受信すると（ステップＳ１２）、ＨＧＷ１は、当該データをコピーするとともに、一方のデータの宛先を送信先情報により指示されたテレビセット３のアドレスに変更して送信先の設定を行い（ステップＳ１３）、送信する（ステップＳ１４）。
一方、他方のデータについては、ＨＧＷ１は、携帯端末４宛てそのままで送信する（ステップＳ１５）。
【００４６】
ＨＧＷ１から送信されたテレビ電話データを受信したテレビセット３は（ステップＳ１６）、テレビ電話データに含まれる映像データ及び音声データをデコードし、テレビ５の画面部５ａに通話相手Ｂからの映像を表示するとともに、スピーカから音声を出力する。
通話者Ａの携帯端末４は、テレビ電話データを受信すると（ステップＳ１７）、このテレビ電話データに基づき、自装置の機能によって通話相手Ｂの映像及び音声を出力する。
【００４７】
また、通話者Ａの携帯端末４は、当該通話者Ａの映像データ及び音声データを含むテレビ電話データを通話相手Ｂ側に宛てて送信する（ステップＳ１８）。ＨＧＷ１は、このデータを中継して、ＩＰ網を介して通話相手Ｂ側に送信する（ステップＳ１９）。
通話者Ａから送信されたテレビ電話データを受信した通話相手Ｂ側の機器は（ステップＳ２０）、通話相手Ｂに対して、通話者Ａの映像や音声を出力する。
【００４８】
テレビ電話システムが上記ステップＳ１１〜Ｓ２０を繰り返すことで、通話者Ａは、テレビセット３及び携帯端末４によって出力される映像及び音声によって、通話相手Ｂとの間でテレビ電話通話することができる。
なお、通話者Ａの携帯端末４が、リダイレクトを行うことを指示した場合、図４中、ステップＳ１５，Ｓ１７は行われない。この場合、通話者Ａは、テレビセット３からの出力によって通話相手Ｂの映像や音声等を認識し、通話相手Ｂに対して応答することができる。
【００４９】
通話を終了する場合、通話者Ａの携帯端末４、又は通話相手Ｂ側のいずれか一方が切断通知を他方に送信する（ステップＳ３０）。他方は、この切断通知を受信すると（ステップＳ３１）、一方側が通話を切断したことを認識し、自己も通話を切断する。
【００５０】
〔効果について〕
上記構成のテレビ電話システムによれば、ＨＧＷ１が、通話者Ａの携帯端末４宛てに送信されるテレビ電話データをテレビセット３等にリダイレクト又は分配する送信制御部１２（制御部）を備えているので、通話相手Ｂの映像や音声を、携帯端末４以外のＨＧＷ１に接続されたテレビセット３に出力することができる。
【００５１】
さらに、上記システムでは、携帯端末４が、テレビ電話データを送信すべきテレビセット３を示す送信先通知をＨＧＷ１の送信制御部１２に送信し、送信制御部１２は、複数のテレビセット３の内、送信先通知に応じたテレビセット３にテレビ電話データをリダイレクト又は分配するので、テレビ電話データを送信すべきテレビセット３を、送信先通知によって選択することができるので、通話相手Ｂの映像や音声を、通話者Ａがテレビ電話通話するのに好適な位置にあるテレビセット３に出力させることができる。
【００５２】
また、本実施形態では、ＨＧＷ１が、携帯端末４宛てに送信される通話相手Ｂからのテレビ電話データを中継するため、送信制御部１２をＨＧＷ１に設けることで、テレビ電話データをリダイレクト又は分配するのが容易となる。
【００５３】
なお、本実施形態では、テレビ電話データに含まれる、映像データ及び音声データを共にリダイレクト又は分配する場合を示したが、音声データは携帯端末４から出力されるので、テレビ電話データの内、少なくとも映像データを所定のテレビセット３にリダイレクト又は分配するように構成することもできる。この場合においても、音声は携帯端末４から、映像はテレビセット３から出力されるので、通話相手Ｂとの間でテレビ電話通話することができる。
【００５４】
〔第二の実施形態〕
図５は、本発明の第二の実施形態に係るテレビ電話システムの構成を示す図である。本実施形態と第一の実施形態との相違点は、携帯端末４が互いにＩＰ網以外の携帯電話通信網を用いて通話しつつ、テレビセット３に通話相手の映像や音声を出力する点である。
【００５５】
図５では、通話者Ａの携帯端末４と、通話相手Ｂの携帯端末４とが携帯電話通信網を用いてテレビ電話通話を行っている。
ここで、通話者Ａの携帯端末４は、送信先通知を携帯電話通信網を介して送信することができる。通話者Ａの携帯端末４は、送信先通知に含まれる送信先情報として、自装置が接続するＨＧＷ１及びテレビセット３のアドレスを含めて送信する。
携帯電話通信網を介して送信先通知を受信する送信相手Ｂの携帯端末４は、送信先通知に含まれる送信先情報を取得することで、通話者Ａの携帯端末４が接続しているＨＧＷ１等のアドレスを認識することができる。
【００５６】
図６は、通話相手Ｂの携帯端末４の構成を示すブロック図である。なお、通話者Ａの携帯端末４も基本的に同様の構成である。図６に示すように、通話相手Ｂの携帯端末４は、携帯電話通信網及びＩＰ網の双方と接続可能なＩＦ部４１と、ＩＦ部４１を介して受信した各種データを処理する受信処理部４２と、受信した映像データや音声データをデコードするとともに送信すべき映像や音声をエンコードする変換部４３と、音声の入出力を行うためのマイクやスピーカからなる送受話部４４とを備えている。また変換部４３には、カメラ４ａと、モニタ４ｂも接続されている。
変換部４３は、通話者Ａの携帯端末４からのテレビ電話データに含まれる映像データ及び音声データをデコードして、送受話部４４及びモニタ４ｂに出力するとともに、カメラ４ａや送受話部４４から得られる映像や音声をデータ化することで通話者Ａの携帯端末４宛てのテレビ電話データを出力する。
【００５７】
本実施形態の携帯端末４は、自装置と通話する携帯端末４から送信される送信先通知に基づいて、通話者Ａの携帯端末４宛てのテレビ電話データを通話者Ａの携帯端末４、及び送信先通知によって指定されるテレビセット３の双方に送信する送信制御部４５をさらに備えている。
受信処理部４２は、通話者Ａの携帯端末４から送信されるデータに含まれる送信先通知を取得し、送信制御部４５に出力する。
送信制御部４５は、受信処理部４２から与えられる送信先通知によって、通話者Ａの携帯端末４に送信するテレビ電話データを送信すべき通話者Ａの携帯端末４が接続しているＨＧＷ１やテレビセット３のアドレスを認識する。
【００５８】
送信制御部４５は、変換部４３から通話者Ａの携帯端末４宛てのテレビ電話データが与えられると、このテレビ電話データの出力先を、通話者Ａの携帯端末４、及び送信先通知によって指定されたテレビセット３の双方に設定し送信する。
【００５９】
通話相手Ｂの携帯端末４が送信するテレビ電話データは、図５に示すように、ＩＰ網を介して通話者Ａ側のＨＧＷ１によって中継され、指定のテレビセット３に、ＩＰ通信によって送信される。通話者Ａの携帯端末４宛てそのままで送信されるテレビ電話データは、携帯電話通信網を介して通話者Ａの携帯端末４に送信される。
以上により、通話者Ａは、近隣のテレビセット３に通話相手Ｂの映像等を出力させつつ、携帯端末４によってテレビ電話通話することができる。
【００６０】
本実施形態のテレビ電話システムによれば、送信制御部４５（制御部）が、通話者Ａの携帯端末４宛てのテレビ電話データの送信元である通話相手Ｂの携帯端末４に設けられているので、通話相手Ｂの携帯端末４からテレビ電話データを送信する段階で、通話者Ａがテレビ電話として好適に用いることができるテレビセット３に向けて、当該テレビ電話データを送信させることができる。
【００６１】
また、本実施形態では、通話者Ａの携帯端末４、及び通話相手Ｂの携帯端末４が、互いにＩＰ網以外の通信網である携帯電話通信網にて接続可能であるので、この携帯電話通信網を介して、両携帯端末４同士でテレビ電話データの送受信を行いつつ、通話相手Ｂの携帯端末４の送信制御部４５は、通話者Ａの携帯端末４宛てのテレビ電話データを、ＩＰ網を介して、指定のテレビセット３に送信することができる。
【００６２】
上記実施形態では、図５に示すように、携帯電話通信網を介して、両携帯端末４同士でテレビ電話データの送受信を行いつつ、通話者Ａの携帯端末４宛てのテレビ電話データを、ＩＰ通信によって、送信先通知により指定されたテレビセット３に送信する場合を示したが、例えば、図７に示すように、両携帯端末４が互いにＩＰ通信によって、テレビ電話通話しつつ、通話相手Ｂの携帯端末４の送信制御部４５が、通話者Ａの携帯端末４宛てのテレビ電話データを、ＩＰ通信によって指定のテレビセット３に送信してもよい。
【００６３】
また、図７の場合、第一の実施形態と同様、ＨＧＷ１がエコーキャンセル部を備える構成とすることができる。図７の場合、通話者Ａの携帯端末４宛てのテレビ電話データの経路と、テレビセット３宛てのテレビ電話データの経路とがＨＧＷ１まで重複しており、通話者Ａの携帯端末４が送信する送話音声に係る音声データと、通話相手Ｂからの音声データとが、ＨＧＷ１で中継されるため、効率的にエコーキャンセルを行うことができるからである。
【００６４】
〔第三の実施形態〕
図８は、本発明の第三の実施形態に係るテレビ電話システムの構成を示す図である。本実施形態では、通話者Ａの携帯端末４が、受信した自装置宛てのテレビ電話データを、所定のテレビセット３に送信することで、通話相手Ｂの映像や音声をテレビセット３から出力するように構成されている。つまり、通話者Ａの携帯端末４は、自装置宛てのテレビ電話データを、ＨＧＷ１に送信し、ホームネットワークＨＮ（図１）を介して、所定のテレビセット３に送信する。すなわち、通話者Ａの携帯端末４のサブディスプレイとしてテレビ５を用いることができる。
なお、図８では、通話者Ａの携帯端末４と、通話相手Ｂの携帯端末４とが携帯電話通信網を用いてテレビ電話通話を行っている。通話相手Ｂの音声は通話者Ａの携帯端末４に携帯電話網を通じて届いているため、テレビ５のスピーカから通話者Ａの携帯端末４のマイクに通話相手Ｂの音声が回りこんでも、通話者Ａの携帯端末４上でそのエコーをキャンセルすることができる。
【００６５】
図９は、本実施形態の携帯端末４の構成を示すブロック図である。本実施形態の携帯端末４の送信制御部４５は、ＩＦ部４１を介して受信した自装置宛てのテレビ電話データをリダイレクト又は分配する点で、図６で示した携帯端末４と異なる。
本実施形態の送信制御部４５は、受信した自装置宛てのテレビ電話データが与えられると、リダイレクトする場合には、このテレビ電話データの宛先を予め指定されたテレビセット３のアドレスに変更し送信し、変換部４３にテレビ電話データを与えない。また、分配する場合には、このテレビ電話データをコピーし、一方を指定されたアドレスに変更して送信し、他方を変換部４３に与えて送受話部４４やモニタ４ｂに出力させる。
【００６６】
なお、リダイレクト又は分配を行う際の送信先については、通話者Ａの携帯端末４が、テレビ電話データを送信すべきテレビセット３を特定するためのＩＤを、テレビセット３に割り当てられたアドレスと対応付けて記憶しておく。そして、通話者Ａが携帯端末４に映像の出力を希望するテレビセット３のＩＤを入力すると、通話者Ａの携帯端末４の送信制御部４５は、そのＩＤに基づいて、リダイレクト又は分配を行う際の送信先となるテレビセット３のアドレスを認識する。
【００６７】
通話者Ａの携帯端末４がリダイレクト又は分配することにより送信するテレビ電話データは、図８に示すように、ＨＧＷ１によって中継され、ホームネットワークＨＮを介して指定のテレビセット３に送信される。
以上により、通話者Ａは、近隣のテレビセット３に通話相手Ｂの映像等を出力させつつ、携帯端末４によってテレビ電話通話することができる。
【００６８】
本実施形態によれば、送信制御部４５が携帯端末４の設けられているとともに、当該携帯端末４が受信した自装置宛てのテレビ電話データを、複数のテレビセット３の中から所定のテレビセット３に送信することができるので、通話者Ａがテレビ電話通話するのに好適な位置にあるテレビセット３に、簡易な構成で出力させることができる。
【００６９】
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００７０】
１    ホームゲートウェイ（中継装置）
３    テレビセット
４    携帯端末（端末装置）
５    テレビ
６    セットトップボックス
１２  送信制御部
１４  エコーキャンセル部
４５  送信制御部
【図１】
2013090193.tif 000003
【図２】
2013090193.tif 000004
【図３】
2013090193.tif 000005
【図４】
2013090193.tif 000006
【図５】
2013090193.tif 000007
【図６】
2013090193.tif 000008
【図７】
2013090193.tif 000009
【図８】
2013090193.tif 000010
【図９】
2013090193.tif 000011